(57)【要約】  【課題】ボルト操作を不要にし、灯体14を容易に着脱できる信号灯11を提供する。  【解決手段】灯箱12の開口部23にこの灯箱12の内側からパッキング13を介して灯体14を配置する。灯箱12の内側に複数のヒンジ45を取り付け、各ヒンジ45によって各押圧体46を回動可能に支持する。押圧体46は、灯体14の周縁部をパッキング13方向に押圧する押圧位置と灯箱12の内側から灯体14の着脱を可能とする退避位置との間を回動する。ボルト操作を不要にし、灯体14を容易に着脱できる。  【選択図】図１
2005186921.tif 000002
【特許請求の範囲】
【請求項１】
開口部を有する灯箱と；
開口部近傍の灯箱の内側に配置されるパッキングと；
パッキングに当接されるように開口部に配置される灯体と；
灯体をパッキング方向に押圧する複数の押圧体と；
灯箱の内側に取り付けられ、各押圧体で灯体をパッキング方向に押圧する押圧位置と灯箱の内側から灯体の着脱を可能とする退避位置との間で各押圧体を回動可能に支持する複数の支持体と；
を具備していることを特徴とする信号灯。
【請求項２】
灯体をパッキング方向に押える環状の押え体を具備し、
押圧体は、押え体の周方向に対応して複数に分割された形状であって押圧位置で環状に組み合わされる形状に設けられ、押え体の周縁部に沿って接触して灯体を押圧することを特徴とする請求項１記載の信号灯。
【請求項３】
押圧体の押圧位置で支持体に着脱可能に取り付けられ、支持体の回動を規制する規制部材を具備し、
押圧体は、支持体に取り付けられた押圧ボルトを有することを特徴とする請求項１記載の信号灯。
【請求項４】
開口部を有する灯箱と；
灯箱の内側から開口部の周縁部に配置される弾性を有する環状のパッキングと；
灯箱の内側から開口部に配置され、周縁部がパッキングに当接される灯体と；
灯体の周縁部をパッキング方向に押圧する複数の押圧体と；
灯箱の内側に取り付けられ、各押圧体で灯体の周縁部をパッキング方向に押圧する方向に対応して各押圧体をスライド可能に支持する複数の支持体と；
押圧体によって灯体をパッキング方向に押圧する状態でこの押圧体と支持体とに挿脱可能に挿通され、押圧体を支持体に係止する挿通部材と；
を具備していることを特徴とする信号灯。
【請求項５】
開口部を有する灯箱と；
灯箱の内側から開口部の周縁部に配置される弾性を有する環状のパッキングと；
灯箱の内側から開口部に配置され、周縁部がパッキングに当接される灯体と；
灯箱の内側から灯体をパッキング方向に押える保持体と；
灯箱の内側で保持体の周面に対向するように取り付けられた複数の支持体と；
支持体と保持体との対向面に設けられ、保持体の周方向一方への回動によって支持体に対し保持体を灯体へ向けて移動させ、保持体の周方向他方への回動によって保持体を支持体から取り外し可能とする回動結合手段と；
を具備していることを特徴とする信号灯。
【請求項６】
灯体は、光源に複数の発光ダイオード素子を用いたことを特徴とする請求項１ないし５いずれか一記載の信号灯。
【請求項７】
灯体は、灯箱の内側に臨むケースを有し、ケースの外面に、ケースの上部側に向かうほどケースからの突出寸法が大きい複数の放熱フィンが設けられたことを特徴とする請求項６記載の信号灯。
【請求項８】
灯箱は、支持体を取り付ける取付ボスが開口部近傍に設けられた既存の灯箱であることを特徴とする請求項１ないし７いずれか一記載の信号灯。
【発明の詳細な説明】
【技術分野】
【０００１】
本発明は、灯体が着脱可能な信号灯に関する。
【背景技術】
【０００２】
例えば信号機などに用いられる信号灯では、従来より光源として電球を用いた灯体が使用されてきたが、寿命が長い発光ダイオード素子を光源とした灯体が用いられるようになってきている。この発光ダイオード素子を光源とした灯体は、発光ダイオード素子を搭載した基板を収納するケースとこのケースの前面側を覆い発光ダイオード素子から発光する光が透過する透光カバーとで一体化する構成としている。
【０００３】
信号灯は、灯箱を有し、この灯箱に設けられた開口部にこの灯箱の外側から灯体を挿入配置し、灯体の周縁部に環状の金具を押し当て、この金具を通じて複数のボルトを灯箱に螺着固定している。そして、灯体を交換する際には、複数のボルトを外して金具および灯体を灯箱から外し、新たに交換する灯体および金具を灯箱に取り付けて複数のボルトで固定している。
【０００４】
また、灯体の透光カバーとケースとを分離し、透光カバーは灯箱の外側から複数のボルトで取り付け、ケースは灯箱の内側から交換できるようにした信号灯があるが、透光カバーも経年変化により劣化するため、ケースと一緒に交換する場合があり、この透光カバーを交換する際にも透光カバーを灯箱に固定している複数のボルトを脱着操作する必要がある（例えば、特許文献１参照。）。
【特許文献１】特許第２８４４５２３号公報（第２−３頁、図２）
【発明の開示】
【発明が解決しようとする課題】
【０００５】
しかしながら、透光カバーも含めて灯体を交換する場合、工具を用いて複数のボルトを脱着しなければならず、しかも、灯箱の外側から取り付けられているボルトは経年変化によって錆付きやすく、このボルトの取り外しが困難なことがあり、灯体を容易に交換できない問題がある。
【０００６】
本発明は、このような点に鑑みなされたもので、ボルト操作が必要なく、灯体を容易に着脱できる信号灯を提供することを目的とする。
【課題を解決するための手段】
【０００７】
請求項１記載の信号灯は、開口部を有する灯箱と；開口部近傍の灯箱の内側に配置されるパッキングと；パッキングに当接されるように開口部に配置される灯体と；灯体をパッキング方向に押圧する複数の押圧体と；灯箱の内側に取り付けられ、各押圧体で灯体をパッキング方向に押圧する押圧位置と灯箱の内側から灯体の着脱を可能とする退避位置との間で各押圧体を回動可能に支持する複数の支持体とを具備しているものである。
【０００８】
そして、この構成では、灯箱の内側に押圧体を支持した複数の支持体を取り付け、各押圧体を退避位置に回動させることにより灯箱の内側から開口部に対して灯体を着脱可能とし、灯箱の内側から開口部にパッキングを介して灯体を配置した状態で各押圧体を押圧位置に回動させることにより灯体をパッキング方向に押圧して保持するため、ボルト操作が必要なく、灯体の着脱が容易になる。また、ボルトを用いた場合、ボルトの締付力が異なると、パッキングの変形度合いも異なり、灯体が適切に位置決めされないことがあり、しかも、光源として例えば発光ダイオード素子を使用する場合には、発光ダイオード素子の光は指向性あることから灯体をパッキングに対して均等に押圧しなければ、所定の配光が得られにくくなるが、押圧体で灯体をパッキング方向に押圧することにより、灯体がパッキングに対して略均等に押圧され、所定の配光が得られる。
【０００９】
請求項２記載の信号灯は、請求項１記載の信号灯において、灯体をパッキング方向に押える環状の押え体を具備し、押圧体は、押え体の周方向に対応して複数に分割された形状であって押圧位置で環状に組み合わされる形状に設けられ、押え体の周縁部に沿って接触して灯体を押圧するものである。
【００１０】
そして、この構成では、灯箱の内側から灯体をパッキング方向に押える環状の押え体を配置し、また、押圧体は押え体の周方向に対応して複数に分割した形状であって押圧位置で環状に組み合わされる形状に設けることにより、押圧体が環状に組み合いかつ押え体の周縁部に沿って接触して灯体を押圧する押圧位置に係止される。
【００１１】
請求項３記載の信号灯は、請求項１記載の信号灯において、押圧体の押圧位置で支持体に着脱可能に取り付けられ、支持体の回動を規制する規制部材を具備し、押圧体は、支持体に取り付けられた押圧ボルトを有するものである。
【００１２】
そして、この構成では、押圧体として支持体に取り付けた押圧ボルトを有し、この押圧ボルトで灯体のパッキング方向の位置つまり灯体の灯箱に対する角度が調整され、また、押圧体の押圧位置で支持体の回動を規制する規制部材を着脱可能に取り付けることにより、押圧ボルトが押圧位置に係止される。
【００１３】
請求項４記載の信号灯は、開口部を有する灯箱と；灯箱の内側から開口部の周縁部に配置される弾性を有する環状のパッキングと；灯箱の内側から開口部に配置され、周縁部がパッキングに当接される灯体と；灯体の周縁部をパッキング方向に押圧する複数の押圧体と；灯箱の内側に取り付けられ、各押圧体で灯体の周縁部をパッキング方向に押圧する方向に対応して各押圧体をスライド可能に支持する複数の支持体と；押圧体によって灯体をパッキング方向に押圧する状態でこの押圧体と支持体とに挿脱可能に挿通され、押圧体を支持体に係止する挿通部材とを具備しているものである。
【００１４】
そして、この構成では、灯箱の内側に複数の支持体を取り付け、灯箱の内側から開口部にパッキングを介して灯体を配置し、各支持体にスライド可能に支持される各押圧体によって灯体をパッキング方向に押圧し、この押圧状態で押圧体と支持体とに挿通部材を挿脱可能に挿通して係止するため、ボルト操作が必要なく、灯体の着脱が容易になる。
【００１５】
請求項５記載の信号灯は、開口部を有する灯箱と；灯箱の内側から開口部の周縁部に配置される弾性を有する環状のパッキングと；灯箱の内側から開口部に配置され、周縁部がパッキングに当接される灯体と；灯箱の内側から灯体をパッキング方向に押える保持体と；灯箱の内側で保持体の周面に対向するように取り付けられた複数の支持体と；支持体と保持体との対向面に設けられ、保持体の周方向一方への回動によって支持体に対し保持体を灯体へ向けて移動させ、保持体の周方向他方への回動によって保持体を支持体から取り外し可能とする回動結合手段とを具備しているものである。
【００１６】
そして、この構成では、灯箱の内側に複数の支持体を取り付け、灯箱の内側から開口部にパッキングを介して灯体を配置するとともに灯箱の内側から灯体をパッキング方向に押える保持体を配置し、支持体と保持体との対向面に設けた回動結合手段により、保持体の周方向一方へ回動によって支持体に対し保持体を灯体へ向けて移動させ、保持体の周方向他方への回動によって保持体を支持体から取り外し可能とするため、ボルト操作が必要なく、灯体の着脱が容易になる。また、ボルトを用いた場合、ボルトの締付力が異なると、パッキングの変形度合いも異なり、灯体が適切に位置決めされないことがあり、しかも、光源として例えば発光ダイオード素子を使用する場合には、発光ダイオード素子の光は指向性あることから灯体をパッキングに対して均等に押圧しなければ、所定の配光が得られにくくなるが、押圧体で灯体をパッキング方向に押圧することにより、灯体がパッキングに対して略均等に押圧され、所定の配光が得られる。
【００１７】
請求項６記載の信号灯は、請求項１ないし５いずれか一記載の信号灯において、灯体は、光源に複数の発光ダイオード素子を用いたものである。
【００１８】
そして、この構成では、光源に複数の発光ダイオード素子を用いたため、灯体が薄型化および軽量化され、灯体の着脱が容易になる。
【００１９】
請求項７記載の信号灯は、請求項６記載の信号灯において、灯体は、灯箱の内側に臨むケースを有し、ケースの外面に、ケースの上部側に向かうほどケースからの突出寸法が大きい複数の放熱フィンが設けられたものである。
【００２０】
そして、この構成では、灯体のケースの外面に、ケースの上部側に向かうほどケースからの突出寸法が大きい複数の放熱フィンを設けたため、下部側よりも温度が高くなる上部側からの放熱性を高め、温度上昇による発光ダイオード素子の発光波長の変化を抑制できる。
【００２１】
請求項８記載の信号灯は、請求項１ないし７いずれか一記載の信号灯において、灯箱は、支持体を取り付ける取付ボスが開口部近傍に設けられた既存の灯箱であるものである。
【００２２】
そして、この構成では、既存の灯箱の開口部近傍に設けられている取付ボスに支持体を取り付けることで、既存の灯箱に適用可能で、既存の灯箱で灯体の交換が容易になるように構成される。
【発明の効果】
【００２３】
請求項１記載の信号灯によれば、灯箱の内側に押圧体を支持した複数の支持体を取り付け、各押圧体を退避位置に回動させることにより灯箱の内側から開口部に対して灯体を着脱可能とし、灯箱の内側から開口部にパッキングを介して灯体を配置した状態で各押圧体を押圧位置に回動させることにより灯体をパッキング方向に押圧して保持できるため、ボルト操作が必要なく、灯体を容易に着脱できる。また、ボルトを用いた場合、ボルトの締付力が異なると、パッキングの変形度合いも異なり、灯体が適切に位置決めされないことがあり、しかも、光源として例えば発光ダイオード素子を使用する場合には、発光ダイオード素子の光は指向性あることから灯体をパッキングに対して均等に押圧しなければ、所定の配光が得られにくくなるが、押圧体で灯体をパッキング方向に押圧することにより、灯体をパッキングに対して略均等に押圧でき、所定の配光を得ることができる。
【００２４】
請求項２記載の信号灯によれば、請求項１記載の信号灯の効果に加えて、灯箱の内側から灯体をパッキング方向に押える環状の押え体を配置し、また、押圧体は押え体の周方向に対応して複数に分割した形状であって押圧位置で環状に組み合わされる形状に設けることにより、押圧体が環状に組み合いかつ押え体の周縁部に沿って接触して灯体を押圧する押圧位置に係止できる。
【００２５】
請求項３記載の信号灯によれば、請求項１記載の信号灯の効果に加えて、押圧体として支持体に取り付けた押圧ボルトを有し、この押圧ボルトで灯体のパッキング方向の位置つまり灯体の灯箱に対する角度を調整でき、また、押圧体の押圧位置で支持体の回動を規制する規制部材を着脱可能に取り付けることにより、押圧ボルトを押圧位置に係止できる。
【００２６】
請求項４記載の信号灯によれば、灯箱の内側に複数の支持体を取り付け、灯箱の内側から開口部にパッキングを介して灯体を配置し、各支持体にスライド可能に支持される各押圧体によって灯体をパッキング方向に押圧し、この押圧状態で押圧体と支持体とに挿通部材を挿脱可能に挿通して係止できるため、ボルト操作が必要なく、灯体を容易に着脱できる。
【００２７】
請求項５記載の信号灯によれば、灯箱の内側に複数の支持体を取り付け、灯箱の内側から開口部にパッキングを介して灯体を配置するとともに灯箱の内側から灯体をパッキング方向に押える保持体を配置し、支持体と保持体との対向面に設けた回動結合手段により、保持体の周方向一方へ回動によって支持体に対し保持体を灯体へ向けて移動させ、保持体の周方向他方への回動によって保持体を支持体から取り外し可能とするため、ボルト操作が必要なく、灯体を容易に着脱できる。また、ボルトを用いた場合、ボルトの締付力が異なると、パッキングの変形度合いも異なり、灯体が適切に位置決めされないことがあり、しかも、光源として例えば発光ダイオード素子を使用する場合には、発光ダイオード素子の光は指向性あることから灯体をパッキングに対して均等に押圧しなければ、所定の配光が得られにくくなるが、押圧体で灯体をパッキング方向に押圧することにより、灯体をパッキングに対して略均等に押圧でき、所定の配光を得ることができる。
【００２８】
請求項６記載の信号灯によれば、請求項１ないし５いずれか一記載の信号灯の効果に加えて、光源に複数の発光ダイオード素子を用いたため、灯体を薄型化および軽量化でき、灯体を容易に着脱できる。
【００２９】
請求項７記載の信号灯によれば、請求項６記載の信号灯の効果に加えて、灯体のケースの外面に、ケースの上部側に向かうほどケースからの突出寸法が大きい複数の放熱フィンを設けたため、下部側よりも温度が高くなる上部側からの放熱性を高め、温度上昇による発光ダイオード素子の発光波長の変化を抑制できる。
【００３０】
請求項８記載の信号灯によれば、請求項１ないし７いずれか一記載の信号灯の効果に加えて、既存の灯箱の開口部近傍に設けられている取付ボスに支持体を取り付けることで、既存の灯箱に適用でき、既存の灯箱で灯体の交換が容易になるように構成できる。
【発明を実施するための最良の形態】
【００３１】
以下、本発明の一実施の形態を図面を参照して説明する。
【００３２】
図１ないし図３に第１の実施の形態を示し、図１は信号灯の断面図、図２は信号灯の背面図、図３は信号灯の拡大断面図である。
【００３３】
図において、11は例えば道路用信号機や鉄道用信号機などの信号灯で、この信号灯11は、灯箱12、この灯箱12の内側から取り付けられるパッキング13および灯体14、および灯箱12の内側から灯体14を着脱可能に係止する係止手段15を有している。
【００３４】
灯箱12は、光源として電球を用いた灯体を使用する既存のもので、前面を開口した灯箱本体21、およびこの灯箱本体21の前面を覆う前扉22を有し、前扉22はヒンジなどによって灯箱本体21に対して開閉可能に設けられている。前扉22には灯体14が配置される円形の開口部23が形成され、前扉22の内側で開口部23の周縁部には周方向に等間隔な複数箇所であって例えば４箇所に取付ボス24が突設されている。
【００３５】
また、パッキング13は、弾性を有する例えば樹脂製で、前扉22の内側で開口部23の周縁部に当接可能とする円環状に形成され、内周側にはスリット27が形成されている。このパッキング13の前扉22に当接する前面側には、環状の当接板28が取り付けられている。
【００３６】
また、灯体14は、複数の発光ダイオード素子31が配置された円板状の基板32、この基板32が取り付けられたケース33、および基板32およびケース33の前面側を覆う透光カバー34を有している。
【００３７】
ケース33は、透光カバー34の内側に嵌合可能とする環体35、およびこの環体35の後面側を閉塞して取り付けられる円板状の後面板36を有し、前面を開口して基板32を収納可能としている。環体35の幅は、灯体14の光軸を向ける方向に対応して、例えば、上部側が広く、下部側が狭く、灯体14の光軸が斜め下方へ向くように構成されている。後面板36には周縁部に対して中央部が後方へ突出する突出部37が形成され、この突出部37の内側に発光ダイオード素子31を発光させる発光回路などが収容されている。
【００３８】
透光カバー34は、透光性を有する樹脂製またはガラス製で、前方へ曲面状に突出する円形の透光部38を有し、この透光部38の周縁部にパッキング13の内側に嵌合される環状の嵌合部39が形成され、この嵌合部39の外周に突設されパッキング13の後面側に当接される環状の段部40、この段部40から後方へ延設される環状の縁部41を有している。
【００３９】
また、係止手段15は、灯体14をパッキング13へ向けて押える環状の押え体44、各取付ボス24に取り付けられる支持体としての複数すなわち４つのヒンジ45、および各ヒンジ45に支持され押え体44を介して灯体14をパッキング13へ向けて押圧する複数すなわち４つの押圧体46を備えている。
【００４０】
押え体44は、灯体14の透光カバー34の内側に嵌合可能とする環状部47、この環状部47の後面部48を有している。環状部47の幅は、灯体14のケース33の幅と逆の関係であって、例えば、上部側が狭く、下部側が広く、ケース33と組み合わせた状態でケース33の前面と押え体44の後面とが平行になるように構成されている。
【００４１】
各ヒンジ45は、固定部50、可動部51、およびこれら固定部50と可動部51とを回動可能に連結するヒンジ軸52を有し、固定部50が取付ボス24にねじ53で固定され、可動部51が灯体14の径方向に対応して回動可能に構成されている。
【００４２】
各押圧体46は、ヒンジ45の可動部51に一体に形成された押圧片54を有し、この押圧片54は押え体44の周方向に対応して複数すなわち４つに分割された形状であって押え体44を介して灯体14をパッキング13へ向けて押圧する押圧位置で環状に組み合わされる形状に形成されている。押え体44の周縁部に沿って当接して灯体14を押圧する。押圧片54は断面略Ｌ字形で、その押圧片54の先端には、押え体44の周縁部に沿って接触する接触部55が形成されているとともに、灯体14の透光カバー34の内側に係合する係合部56が形成されている。隣接する押圧片54の端部間のうち上部側では、隣接する押圧片54の端部が断面略Ｌ字形に折曲された折曲部57が形成され、これら折曲部57に図示しないピンが挿脱可能に挿入されて互いに連結される。
【００４３】
そして、信号灯11を組み立てるには、パッキング13を灯体14の前面周縁部に嵌合し、前扉22の内側からパッキング13および灯体14を挿入し、パッキング13を開口部23の周縁部に当接させるとともに灯体14を開口部23に配置する。このとき、各押圧片54をヒンジ45によってそれぞれ外側へ回動させておくことにより、各押圧片54が干渉することなく、前扉22の内側にパッキング13および灯体14を挿入できる。
【００４４】
灯体14の後面側から透光カバー34の縁部41の内側に押え体44を嵌合挿入し、各押圧片54をヒンジ45によって灯体14の後面域へ向けて回動操作する。押圧片54の回動途中でこの押圧片54の接触部55が押え体44に当接し、押え体44を介して灯体14をパッキング13へ向けて押圧する。さらに押圧片54を回動操作することにより、パッキング13の弾性に抗してパッキング13を圧縮させながら、押圧片54の接触部55が押え体44の表面を摺動しつつ押圧片54が回動する。このとき、パッキング13のスリット27がつぶれるように変形することにより、押圧片54を所定の押圧位置まで回動させることが可能になっている。
【００４５】
各押圧片54が押圧位置まで達すれば、押圧片54が環状に組み合わされること、および押圧片54の接触部55が押え体44の周方向に沿って圧接した摩擦抵抗により、押圧片54の押圧位置が維持される。また、押圧片54の係合部56が灯体14の透光カバー34の内側に係合し、灯箱12の開口部23のセンタ位置に灯体14を位置決めする。
【００４６】
また、灯体14を交換する場合には、各押圧片54を外側に回動させ、押え体44、灯体14およびパッキング13を前扉22の後方へ移動させて取り外す。そして、新たに交換する灯体14を上述したように前扉22の内側から組み付ける。
【００４７】
このように、灯箱12の内側に押圧体46を支持した複数のヒンジ45を取り付け、各押圧体46を退避位置に回動させることにより灯箱12の内側から開口部23に対して灯体14を着脱可能とし、灯箱12の内側から開口部23にパッキング13を介して灯体14を配置した状態で各押圧体46を押圧位置に回動させることにより灯体14をパッキング13方向に押圧して保持できるため、ボルト操作が必要なく、灯体14を容易に着脱交換できる。
【００４８】
灯箱12の内側から灯体14をパッキング13へ向けて押える環状の押え体44を配置し、また、押圧体46は押え体44の周方向に対応して複数に分割した形状であって押圧位置で環状に組み合わされる形状の押圧片54であるため、押圧片54が環状に組み合いかつ押え体44の周縁部に沿って圧接して灯体14を押圧する押圧位置に係止できる。
【００４９】
また、押圧片54の係合部56が灯体14の透光カバー34の内側に係合し、灯箱12の開口部23のセンタ位置に灯体14を位置決めできる。
【００５０】
しかも、既存の灯箱12が開口部23の近傍に取付ボス24を有する場合には、その既存の灯箱12に対して係止手段15の構成を適用でき、既存の灯箱12で灯体14の交換が容易になるように構成できる。
【００５１】
また、灯体14の取り付けにボルトを用いた場合、ボルトの締付力が異なると、パッキング13の変形度合いも異なり、灯体14が適切に位置決めされないことがあり、しかも、光源として発光ダイオード素子31を使用する場合には、発光ダイオード素子31の光は指向性あることから灯体14をパッキング13に対して均等に押圧しなければ、所定の配光が得られにくくなるが、押圧体46で灯体14をパッキング13方向に押圧することにより、灯体14をパッキング13に対して略均等に押圧でき、所定の配光を得ることができる。
【００５２】
次に、図４および図５に第２の実施の形態を示し、図４は信号灯の断面図、図５は信号灯の背面図である。
【００５３】
ヒンジ45の可動部51には、灯体14の透光カバー34の内側に係合する係合部61、およびこの係合部61の先端から折曲されて押圧体46が取り付けられる取付部62を有する断面略Ｌ字形に形成されている。
【００５４】
押圧体46として灯体14のケース33に当接してパッキング13へ向けて押圧する押圧ボルト63を有し、この押圧ボルト63がヒンジ45の取付部62に螺合されている。押圧ボルト63には、取付部62に圧着して押圧ボルト63を取付部62に固定する固定ナット64が螺合されている。
【００５５】
また、押圧ボルト63の押圧位置でヒンジ45に回動を規制する規制部材65が着脱可能に取り付けられている。この規制部材65は、断面略コ字形に形成され、押圧ボルト63の押圧位置で略平行になるヒンジ45の固定部50と可動部51との外側に嵌め込まれ、押圧ボルト63が外側に回動するのを規制する。
【００５６】
そして、信号灯11を組み立てるには、各押圧ボルト63をヒンジ45によってそれぞれ外側へ回動させておき、前扉22の内側からパッキング13および灯体14を挿入し、パッキング13を開口部23の周縁部に当接させるとともに灯体14を開口部23に配置する。
【００５７】
各押圧ボルト63をヒンジ45によって灯体14の後面域へ向けて回動操作する。押圧ボルト63の回動途中でこの押圧ボルト63の先端が灯体14のケース33に当接し、灯体14をパッキング13へ向けて押圧する。さらに押圧ボルト63を回動操作することにより、パッキング13の弾性に抗してパッキング13を圧縮させながら、押圧ボルト63の先端がケース33の表面を摺動しつつ押圧ボルト63が回動する。
【００５８】
各押圧ボルト63が押圧位置まで達したら、ヒンジ45の係合部61が灯体14の透光カバー34の内側に係合し、灯箱12の開口部23のセンタ位置に灯体14を位置決めする。押圧ボルト63の押圧位置で略平行になるヒンジ45の固定部50と可動部51との外側に規制部材65を嵌め込み、押圧ボルト63が外側に回動するのを規制する。
【００５９】
各押圧ボルト63を回動操作し、灯体14とヒンジ45との距離を調整することにより、灯体14のパッキング13へ向けた方向の位置つまり灯体14の灯箱12に対する光軸の角度を調整する。
【００６０】
また、灯体14を交換する場合には、各規制部材65をヒンジ45から外し、各押圧ボルト63を外側に回動させ、灯体14およびパッキング13を前扉22の後方へ移動させて取り外す。そして、新たに交換する灯体14を上述したように前扉22の内側から組み付ける。
【００６１】
このように、ヒンジ45に取り付けた押圧ボルト63により、灯体14をパッキング13へ向けて押圧できるとともに、灯体14のパッキング13へ向けた方向の位置つまり灯体14の灯箱12に対する光軸の角度を調整できる。さらに、押圧ボルト63の押圧位置でヒンジ45の回動を規制する規制部材65を着脱可能に取り付けることにより、押圧ボルト63を押圧位置に確実に係止できる。
【００６２】
次に、図６ないし図８に第３の実施の形態を示し、図６は信号灯の断面図、図７は信号灯の背面図、図８は信号灯の押圧体、支持体および挿通部材の斜視図である。
【００６３】
係止手段15は、灯体14をパッキング13へ向けて押圧する複数の押圧体46、前扉22の各取付ボス24に取り付けられ各押圧体46で灯体14の周縁部をパッキング13へ向けて押圧する方向に対応して各押圧体46をスライド可能に支持する支持体としての複数のスライド支持体71、押圧体46によって灯体14をパッキング13へ向けて押圧する状態でこの押圧体46とスライド支持体71とに挿通して係止する挿通部材72、挿通した挿通部材72を抜け止め係止する係止部材73を有している。
【００６４】
各押圧体46は、スライド体74を有し、このスライド体74の両側が略Ｕ字形にそれぞれ折曲されて両側と交差する両端方向に開口するスライド溝75が形成され、一端には灯体14のケース33に当接する当接部76が形成され、他端近傍でスライド溝75の中央位置には挿通孔77が形成されている。
【００６５】
各スライド支持体71は、断面略Ｌ字形の取付金具78、この取付金具78に固定されスライド体74のスライド溝75内にスライド可能に係合するスライドレール79を有し、取付金具78の一端にはねじ53で取付ボス24に取り付ける取付孔80が形成され、取付金具78の他端およびスライドレール79には挿通孔81が形成されている。
【００６６】
挿通部材72は、スライド支持体71の挿通孔81およびスライド体74の挿通孔77に挿通される挿通部82および挿通孔81より大径の頭部83を有し、挿通部82のスライド体74より突出する先端側には係止部材73が挿通する係止孔84が軸方向と交差する方向に形成されている。
【００６７】
係止部材73は、線材によって略Ｕ字形に形成され、一端が挿通部材72の係止孔84に挿入され、他端の中間部には一端に接近するように湾曲するストッパ部85が形成されている。
【００６８】
そして、信号灯11を組み立てるには、各スライド支持体71を避けるようにして前扉22の内側からパッキング13および灯体14を挿入し、パッキング13を開口部23の周縁部に当接させるとともに灯体14を開口部23に配置する。
【００６９】
前扉22に取り付けられている各スライド支持体71のスライドレール79に各スライド体74のスライド溝75を係合し、スライド体74を灯体14へ向けてスライドさせ、スライド体74の当接部76を灯体14のケース33に当接させて灯体14をパッキング13へ向けて押圧する。さらにスライド体74をスライドさせ、パッキング13の弾性に抗してパッキング13を圧縮させながら、スライド体74の挿通孔77をスライド支持体71の挿通孔81に位置合わせし、これら挿通孔81，77に挿通部材72の挿通部82を挿通させる。スライド体74から突出する挿通部82の係止孔84に係止部材73の一端を挿入し、挿通部82に対して挿入方向と反対側にストッパ部85を乗り越えさせて抜け止め係止させる。スライド体74が灯体14の透光カバー34の内側に係合し、灯箱12の開口部23のセンタ位置に灯体14を位置決めできる。
【００７０】
また、灯体14を交換する場合には、係止部材73を挿通部材72の係止孔84から引き抜き、挿通部材72をスライド体74およびスライド支持体71の挿通孔77，81から引き抜き、スライド体74をスライド支持体71から後方へ引き抜き、灯体14およびパッキング13を前扉22の後方へ移動させて取り外す。そして、新たに交換する灯体14を上述したように前扉22の内側から組み付ける。
【００７１】
このように、灯箱12の内側に複数のスライド支持体71を取り付け、灯箱12の内側から開口部23にパッキング13を介して灯体14を配置し、各スライド支持体71にスライド可能に支持される各スライド体74によって灯体14をパッキング13方向に押圧し、この押圧状態でスライド体74とスライド支持体71とに挿通部材72を挿脱可能に挿通し、スライド体74をスライド支持体71に係止できるため、ボルト操作が必要なく、灯体14を容易に着脱できる。
【００７２】
次に、図９および図１０に第４の実施の形態を示し、図９は信号灯の断面図、図１０(a)は回動結合手段の平面図、図１０(b)は回動結合手段の背面図である。
【００７３】
灯体14は、基板32の前面周縁に投光カバー34の縁部41の内側に嵌合配置される環体91が取り付けられ、基板32の後面側が発光ダイオード素子31を発光させる発光回路などが収容されるケース33に取り付けられている。灯箱12の開口部23の周縁部と灯体14の周縁部との間に介在されるパッキング13には、灯体14の投光カバー34の縁部41の周面および後面を覆って配置されるカバー部13aが形成され、すなわちパッキング13は灯体14の周縁部に着脱可能に取り付けられている。
【００７４】
灯体14の後面側には、この灯体14の後面側に当接してその灯体14を前方のパッキング13へ向けて押える環状の保持体92が配置されている。この保持体92は、環状部93、およびこの環状部93の前端に設けられ灯体14のケース33と透光カバー34との間を通じて基板32に当接する環状の当接部94を有している。環状部93の後端側には灯体14の径より大径な大径部95が形成され、この大径部95と前端側との間に傾斜部96が形成されている。
【００７５】
灯箱12の各取付ボス24には断面略Ｌ字形の支持体97がそれぞれねじ53によって取り付けられ、この支持体97には保持体92の環状部93の大径部95に対向するように配置される対向部98が形成されている。
【００７６】
各支持体97と保持体92との対向面には回動結合手段99が設けられ、この回動結合手段99により、保持体92の周方向一方への回動によって各支持体97に対し保持体92を灯体14へ向けて移動させ、保持体92の周方向他方への回動によって保持体92を各支持体97から取り外し可能に構成している。
【００７７】
回動結合手段99は、各支持体97の対向部98から突設されたピン100、および保持体92に設けられピン100が係脱するカム溝101を有している。複数のピン100の先端間で構成される仮想円の径は灯体14の径より大きく、複数のピン100の先端間を灯体14が通過可能になっており、各ピン100の先端にはピン100の中間部より大径で保持体92の大径部95の内周面に係合可能とする係止部102が形成されている。カム溝101には、傾斜部96に係止部102を含めてピン100の先端側が挿脱される挿脱口103が形成されているとともに、大径部95に挿脱口103と連通して前後方向に沿ってピン100が移動可能とする挿脱溝部104が形成され、この挿脱溝部104の後端から周方向の一方へ向けてピン100が移動可能とするカム溝部105が形成されている。カム溝部105のカム形状は、ピン100との係合位置がカム溝部105の入口側端部から奥側端部へ向かうにしたがって保持体92を前方の灯体14へ向けて移動させるように形成され、また、挿脱溝部104およびカム溝部105の横幅は、係止部102の径より狭く、係止部102が挿脱溝部104およびカム溝部105の縁部の内周面に係合可能になっている。
【００７８】
そして、信号灯11を組み立てるには、前扉22の内側からパッキング13を装着した灯体14を挿入し、パッキング13を開口部23の周縁部に当接させて灯体14を開口部23に配置する。
【００７９】
保持体92の各カム溝101の挿脱口103を前扉22に各支持体97で取り付けられている各ピン100に位置合わせして係合し、保持体92を灯体14へ向けて移動させ、挿脱溝部104を通じてその挿脱溝部104の後端側のカム溝部105の入口側端部をピン100の位置まで移動させる。その状態で、保持体92を周方向一方である取付方向に回動させ、カム溝部105をピン100に係合させ、カム溝部105のカム形状によってピン100に対し保持体92を前方の灯体14へ向けて移動させる。このとき、パッキング13のスリット27がつぶれるように変形することにより、保持体92による灯体14の前方への移動が許容され、灯体14を灯箱12の所定の位置に位置決めできる。そして、カム溝部105の最奥側位置をピン100に係合させることにより、灯体14を灯箱12に固定できる。
【００８０】
また、灯体14を交換する場合には、保持体92を周方向他方すなわち取外方向に回動させ、カム溝部105を通じて挿脱溝部104をピン100の位置に移動させた後、保持体92を後方へ移動させ、挿脱溝部104および挿脱口103を通じてピン100から外し、各ピン100から保持体92を後方へ外すことにより、灯体14を取り外すことができる。
【００８１】
このように、灯箱12の内側に複数の支持体97を取り付け、灯箱12の内側から開口部23にパッキング13を介して灯体14を配置するとともに灯箱12の内側から灯体14をパッキング13方向に押える保持体92を配置し、支持体97と保持体92との対向面に設けた回動結合手段99により、保持体92の周方向一方へ回動によって支持体97に対し保持体92を灯体14へ向けて移動させ、保持体92の周方向他方への回動によって保持体92を支持体97から取り外し可能とするため、ボルト操作が必要なく、灯体14を容易に着脱できる。
【００８２】
次に、図１１および図１２に第５の実施の形態を示し、図１１は信号灯の断面図、図１２は灯体のケースの背面図である。
【００８３】
灯体14は、基板32の後面が取り付けられるケース111を有している。このケース111は、放熱効果の高い例えばアルミニウム材によって円板状に形成されており、基板32が取り付けられる基板取付部112およびこの基板取付部112の周縁部に投光カバー34に嵌合する縁部113が形成されている。基板取付部112は、灯体14の光軸が斜め下方へ向くように傾斜状に形成されている。
【００８４】
ケース111の灯箱12内に臨む外面には、ケース111の上部側に向かうほどケース111からの突出寸法が大きい複数の放熱フィン114が上下方向に沿って突出形成されている。
【００８５】
なお、灯体14の灯箱12に対する取付構造は、上述した各実施の形態の構造を用いられる。
【００８６】
そして、灯体14の発光ダイオード素子31の点灯時に熱が発生し、この熱がケース111に伝わってケース111の放熱フィン114から灯箱12内に放熱され、灯箱12を通じて外気中に放出される。発光ダイオード素子31が発生した熱で灯体14が温度上昇し、特に熱の上昇によって灯体14の上部側の温度が高くなるが、放熱フィン114はケース111の上部側に向かうほどケース111からの突出寸法が大きく、上部側からの放熱効果が高くなるため、灯体14の上下の温度分布を均一にでき、発光ダイオード素子31の発光波長を均一にできる。しかも、ケース111の温度上昇により、灯箱12の内部でケース111に沿って下部側から上部側に対流が生じ、このときに複数の放熱フィン114を上下方向に沿って形成しているため、対流の流れをスムーズにでき、放熱効果を高めることができる。
【００８７】
ところで、灯体14の発光ダイオード素子31の温度上昇により、発光ダイオード素子31の発光波長変化が生じやすく、特に、黄色の発光ダイオード素子31においては長波長寄り、すなわち赤色に近くなり、赤色の発光ダイオード素子31においては短波長寄り、すなわち黄色に近くなり、その結果、黄色と赤色の識別が困難になるなどの問題がある。このような問題に対し、灯体14のケース111に放熱フィン114を設けたことによる放熱効果により、発光ダイオード素子31の温度上昇を抑制できるため、発光波長の変化を抑えて黄色と赤色の識別を容易にすることができる。
【００８８】
なお、放熱フィン114は、上下方向に沿って設ける場合に限らず、水平方向に沿って設けてもよく、この場合にも、ケース111の上部側に向かうほどケース111からの突出寸法が大きくすることにより、ケース111の上部側からの放熱効果が高くできる。
【図面の簡単な説明】
【００８９】
【図１】本発明の第１の実施の形態を示す信号灯の断面図である。
【図２】同上信号灯の背面図である。
【図３】同上信号灯の拡大断面図である。
【図４】本発明の第２の実施の形態を示す信号灯の断面図である。
【図５】同上信号灯の背面図である。
【図６】本発明の第３の実施の形態を示す信号灯の断面図である。
【図７】同上信号灯の背面図である。
【図８】同上信号灯の押圧体、支持体および挿通部材の斜視図である。
【図９】本発明の第４の実施の形態を示す信号灯の断面図である。
【図１０】同上信号灯の回動結合手段を示し、(a)は回動結合手段の平面図、(b)は回動結合手段の背面図である。
【図１１】本発明の第５の実施の形態を示す信号灯の断面図である。
【図１２】同上信号灯の灯体のケースの背面図である。
【符号の説明】
【００９０】
11    信号灯
12    灯箱
13    パッキング
14    灯体
23    開口部
24    取付ボス
31    発光ダイオード素子
44    押え体
45    支持体としてのヒンジ
46    押圧体
63    押圧ボルト
65    規制部材
71    支持体としてのスライド支持体
72    挿通部材
92    保持体
97    支持体
99    回動結合手段
111   ケース
114   放熱フィン
【図１】
2005186921.tif 000003
【図２】
2005186921.tif 000004
【図３】
2005186921.tif 000005
【図４】
2005186921.tif 000006
【図５】
2005186921.tif 000007
【図６】
2005186921.tif 000008
【図７】
2005186921.tif 000009
【図８】
2005186921.tif 000010
【図９】
2005186921.tif 000011
【図１０】
2005186921.tif 000012
【図１１】
2005186921.tif 000013
【図１２】
2005186921.tif 000014